(57)【要約】【課題】  信号ラインが共に通配線された複数の液晶表示パネルを備える液晶表示装置において、信号ラインと共通ライン（補助容量ライン）との間に形成される寄生容量に起因する画質劣化を抑制するとともに、消費電力の低減化を図ること。【解決手段】  ２つの液晶表示パネルを有する液晶表示装置において、ライン反転駆動する場合には、各液晶表示パネルの共通ラインに印加される共通電圧ＶCOM1，ＶCOM2を、１走査ライン毎に同時に、互いに逆極性に極性反転させる。このとき、信号ラインに印加する表示信号は、現在表示対象となっている液晶表示パネルの共通電圧と極性が逆になるように反転させる。更に、さ高い画質が要求されない方の液晶表示パネルについては、該液晶表示パネルの表示期間において、表示信号及び共通電圧ＶCOM1，ＶCOM2を複数の走査ライン毎に極性反転させて、他方の液晶表示パネルの表示期間での極性反転周期より長くしても良い。【選択図】図４
2006072211.tif 000002
【特許請求の範囲】
【請求項１】
複数の走査ライン及び複数の信号ラインの各交点近傍にマトリクス状に配列され、画素電極及び該画素電極に接続される補助容量電極を有する複数の画素と、該各画素電極の対向位置に配設された対向電極と、前記対向電極に接続されるとともに前記補助容量電極に接続され、前記複数の信号ラインと交差する複数の共通ラインと、を有する複数の液晶表示パネルを備える液晶表示装置において、
前記各液晶表示パネルの複数の信号ラインの少なくとも一部は、該各液晶表示パネル間で相互に共通に配線され、
前記各液晶表示パネルの前記共通ラインに、所定周期で極性反転する対向電極信号を印加する対向電極駆動手段と、
フレーム内で、前記各液晶表示パネルの前記複数の走査ラインを順次選択し、該各液晶表示パネルを順次、表示期間に設定する走査側駆動手段と、
を備え、前記各液晶表示パネルの対向電極に印加される前記各対向電極信号が、少なくとも、同時に、互いに逆極性に極性反転するタイミングを有することを特徴とする液晶表示装置。
【請求項２】
前記各対向電極信号が互いに逆極性に極性反転するタイミングは、常に同時であることを特徴とする請求項１に記載の液晶表示装置。
【請求項３】
前記各対向電極信号の極性反転の周期が、フレーム内の前記表示期間毎に異なることを特徴とする請求項１に記載の液晶表示装置。
【請求項４】
フレーム内の前記各表示期間において、前記各対向電極信号のうちの、当該表示期間に設定された前記液晶表示パネルに対する前記対向電極信号の極性反転の周期が一定に設定されることを特徴とする請求項１に記載の液晶表示装置。
【請求項５】
前記各表示期間において、前記各対向電極信号のうちの当該表示期間に設定されない前記液晶表示パネルに対する対向電極信号の極性反転の周期は、当該表示期間に設定された前記液晶表示パネルに対する対向電極信号の極性反転の周期より長く設定されることを特徴とする請求項４に記載の液晶表示装置。
【請求項６】
複数の走査ライン及び複数の信号ラインの各交点近傍にマトリクス状に配列され、画素電極及び該画素電極に接続される補助容量電極を有する複数の画素と、該各画素電極の対向位置に配設された対向電極と、前記対向電極に接続されるとともに前記補助容量電極に接続され、前記複数の信号ラインと交差する複数の共通ラインと、を有する複数の液晶表示パネルを備える液晶表示装置において、
前記各液晶表示パネルの複数の信号ラインの少なくとも一部は、該各液晶表示パネル間で相互に共通に配線され、
前記各液晶表示パネルの前記共通ラインに、所定周期で極性反転する対向電極信号を印加する対向電極駆動手段と、
前記複数の液晶表示パネルにおける一の液晶表示パネルを所定の複数フレーム毎に選択し、他の液晶表示パネルをフレーム毎に選択し、選択した液晶表示パネルを表示期間に設定する走査側駆動手段と、
を備えることを特徴とする液晶表示装置。
【請求項７】
前記各対向電極信号のうちの、前記一の液晶表示パネルに対する対向電極信号の極性反転の周期を前記所定の複数フレーム毎とし、前記他の液晶表示パネルに対する対向電極信号の極性反転の周期をフレーム毎とすることを特徴とする請求項６に記載の液晶表示装置。
【請求項８】
複数の走査ライン及び複数の信号ラインの各交点近傍にマトリクス状に配列され、画素電極及び該画素電極に接続される補助容量電極を有する複数の画素と、該各画素電極の対向位置に配設された対向電極と、前記対向電極に接続されるとともに前記補助容量電極に接続され、前記複数の信号ラインと交差する複数の共通ラインと、を有する複数の液晶表示パネルを備え、前記各液晶表示パネルの複数の信号ラインの少なくとも一部は、該各液晶表示パネル間で相互に共通に配線された液晶表示装置を駆動する駆動方法であって、
前記各液晶表示パネルの前記共通ラインに、対向電極信号を、少なくとも、互いに逆極性に同時に極性反転するタイミングを有するように所定周期で極性反転させて印加する動作と、
フレーム内で、前記各液晶表示パネルを順次選択し、該各液晶表示パネルを順次、表示期間に設定する動作と、
を含むことを特徴とする液晶表示装置の駆動方法。
【請求項９】
前記各対向電極信号の互いに逆極性に極性反転するタイミングを常に同時にするように制御する動作を含むことを特徴とする請求項８に記載の液晶表示装置の駆動方法。
【請求項１０】
前記各対向電極信号の極性反転の周期を、フレーム内の前記表示期間毎に異ならせるように制御する動作を含むことを特徴とする請求項８に記載の液晶表示装置の駆動方法。
【請求項１１】
フレーム内の前記各表示期間において、前記各対向電極信号のうちの、当該表示期間に設定された前記液晶表示パネルに対する前記対向電極信号の極性反転の周期を一定するとするように制御する動作を含むことを特徴とする請求項８に記載の液晶表示装置の駆動方法。
【請求項１２】
複数の走査ライン及び複数の信号ラインの各交点近傍にマトリクス状に配列され、画素電極及び該画素電極に接続される補助容量電極を有する複数の画素と、該各画素電極の対向位置に配設された対向電極と、前記対向電極に接続されるとともに前記補助容量電極に接続され、前記複数の信号ラインと交差する複数の共通ラインと、を有する複数の液晶表示パネルを備え、前記各液晶表示パネルの複数の信号ラインの少なくとも一部は、該各液晶表示パネル間で相互に共通に配線された液晶表示装置を駆動する駆動方法であって、
前記各液晶表示パネルの前記共通ラインに、対向電極信号を、所定周期で極性反転させて印加する動作と、
前記複数の液晶表示パネルにおける一の液晶表示パネルを所定の複数フレーム毎に選択し、他の液晶表示パネルをフレーム毎に選択し、選択した液晶表示パネルを表示期間に設定する動作と、
を含むことを特徴とする液晶表示装置の駆動方法。
【請求項１３】
前記一の液晶表示パネルに対する前記対向電極信号を前記所定の複数フレーム毎に極性反転させ、前記他の液晶表示パネルに対する対向電極信号をフレーム毎に極性反転させるように制御する動作を含むことを特徴とする請求項１２に記載の液晶表示装置の駆動方法。
【発明の詳細な説明】
【技術分野】
【０００１】
本発明は、複数の液晶表示パネルを備える液晶表示装置及びその駆動方法に関する。
【背景技術】
【０００２】
携帯電話機やＰＤＡ等の携帯型の電子機器では、表示装置として、軽量化、薄型化、低消費電力化が可能な液晶表示装置が多く用いられている。特に、アクティブ素子として薄膜トランジスタ（ＴＦＴ）を用いたアクティブマトリクス方式の液晶表示装置が多用されている。
【０００３】
かかる液晶表示装置では、液晶表示パネル上に、複数の走査ラインと、複数の信号ラインとがそれぞれ直交して配設され、各交点近傍に表示画素が形成されている。
図８は、表示画素の構成の一例を示す等価回路図である。同図に示すように、薄膜トランジスタ（ＴＦＴ）１２を介して走査ラインＧ及び信号ラインＳに接続された画素電極１４ａと、画素電極１４ａに対向する位置に配置された対向電極１４ｂとの間に液晶が充填されて成る画素容量１４と、画素容量１４と並列接続され、画素容量１４の印加電圧を保持する補助容量１６とから構成され、画素電極１４ａと対向電極間１４ｂとの間に形成される電界により液晶の配列が変化することで、画像表示が実現される。
【０００４】
より詳細には、薄膜トランジスタ１２のゲート電極１２ａが走査ラインＧに接続され、ソース電極１２ｂが信号ラインＳに接続され、ドレイン電極１２ｃが画素容量１４の画素電極１４ａ及び補助容量１６の一方の電極に接続されている。また、対向電極１４ｂには、所定の共通電圧（対向電極信号）ＶCOMが印加され、補助容量１６の他方の電極は共通ライン（補助容量ライン）Ｃに接続される。そして、走査ラインＧを介してゲート電極１２ａに高電位が印加されて薄膜トランジスタ１２がＯＮとなると、画素電極１４ａに信号ラインＳの電位が印加されることで画素電極１４ａと対向電極１４ｂとの間に電界が形成され、かかる電極間に充填されている液晶が駆動される。
【０００５】
尚、液晶表示装置では、表示画像を視覚的に捉えられるようにするため、例えば液晶表示パネルの裏面にＬＥＤ等のバックライトが設けられる。そして、液晶の配列によってバックライトの射出光の透過量が制御されて、各表示画素の輝度が調整される。
【０００６】
また近年では、メインディスプレイ及びサブディスプレイを備える折り畳み型の携帯電話機に代表されるような複数の液晶表示パネルを有する液晶表示装置も知られている。このような複数の液晶表示パネルを有する液晶表示装置では、構造を簡略化するため、信号ラインを共通にすることが多い。例えば２つの液晶表示パネルを有する場合には、一方の液晶表示パネルに配設した信号ラインを他方の液晶表示パネルに延長して配線し、双方の液晶表示パネルを１つのソースドライバ回路で駆動するように構成される。尚、走査ラインは、液晶表示パネル毎に別個に配線され、各液晶表示パネルの対向電極に印加される共通電圧ＶCOMは、液晶表示パネル毎に生成される（例えば、特許文献１）。
【特許文献１】特開２００４−１６３７９０号公報
【発明の開示】
【発明が解決しようとする課題】
【０００７】
一般的に、液晶表示装置では、液晶が充填される画素電極−対向電極間の電界（極性）を所定周期で反転させる反転駆動が行われている。液晶表示パネルでは、上述のように、電極間の電界に応じて液晶の配列が決定されるが、かかる電極間に直流を印加すると、ガラス基板に焼き付けが発生したり、液晶の劣化や破壊を引き起こす原因となる。このため、電極間の極性を周期的に反転させることで、これを防止している、
【０００８】
反転駆動方法としては、各表示画素の極性を走査ライン毎に反転させるとともに、フレーム期間毎にも反転させるライン反転、或いは、各表示画素の極性をフレーム期間毎に反転させるフレーム反転、が一般的である。ここで、「フレーム」とは、各液晶表示パネルに１つの画像を表示させる期間の単位である。
【０００９】
図９に、信号ラインを共通とした２つの液晶表示パネルを反転駆動する場合の従来の駆動波形の一例を示す。同図（ａ）は、ライン反転駆動する場合の波形図であり、同図（ｂ）は、フレーム反転駆動する場合の波形図である。但し、一方の液晶表示パネルの走査ライン数を「ｍ１」とし、他方の液晶表示パネルの走査ライン数を「ｍ２」とする。同図においては、横軸を時間軸として、上から順に、走査ラインＧの走査タイミング（ゲートスキャン）、信号ラインＳに印加される表示信号（ソース出力）、一方の液晶表示パネルの対向電極に印加される共通電圧ＶCOM1、他方の液晶表示パネルの対向電極に印加される共通電圧ＶCOM2、を示している。
【００１０】
同図に示すように、２つの液晶表示パネルを有する場合、１フレーム期間は、一方の液晶表示パネルを表示対象とする第１画面表示期間と、他方の液晶表示パネルを表示対象とする第２画面表示期間とから成る。第１画面表示期間では、一方の液晶表示パネルの走査ラインＧ1〜Ｇm1が順に走査（スキャン）されて順次選択状態とされるとともに、該液晶表示パネルに表示させる画像の表示信号が信号ラインＳに印加される。また、第２画面表示期間では、他方の液晶表示パネルの走査ラインＧm1+1〜Ｇm1+m2が順次選択状態とされるとともに、該液晶表示パネルに表示させる画像の表示信号が信号ラインＳに印加される。即ち、２つの液晶表示パネルを交互に表示対象とすることで、各液晶表示パネルに所望の画像を表示する。
【００１１】
そして、ライン反転では、同図（ａ）に示すように、表示信号及び共通電圧ＶCOM1，ＶCOM2の極性が、１走査ライン毎に反転されるとともに、フレーム期間毎にも反転される。このとき、共通電圧ＶCOM1，ＶCOM2は常に同極性となるように（極性が一致するように）制御され、表示信号は、共通電圧ＶCOM1，ＶCOM2と極性が逆になるように制御される。
【００１２】
また、フレーム反転では、同図（ｂ）に示すように、表示信号及び共通電圧ＶCOM1，ＶCOM2が１フレーム期間毎に反転される。このとき、共通電圧ＶCOM1，ＶCOM2は常に同極性となるように（極性が一致するように）制御され、表示信号は、共通電圧ＶCOM1，ＶCOM2と極性が逆になるように制御される。即ち、画素電極−対向電極間の極性が、１フレーム期間毎に反転されることになる。
【００１３】
ところで、マトリクス方式の液晶表示装置では、その構造上、図１０に示すように、信号ラインＳと共通ライン（補助容量ライン）Ｃとが近接する各交点近傍、即ち信号ラインＳと共通ラインＣとの間に寄生容量１８が形成されることが知られている。即ち、２つの液晶表示パネルを有する液晶表示装置の場合、１本の信号ラインＳに着目すると、図１１に示すように、一方の液晶表示パネルの各共通ラインＣとの交点近傍に形成される寄生容量１８Ａ，・・・と、他方の液晶表示パネルの各共通ラインとの交点近傍に形成される寄生容量１８Ｂ，・・・とが並列接続されていることに等しい。
【００１４】
寄生容量１８の両端には信号ラインＳと共通ラインＣとの電位差が印加されるが、反転駆動される場合には、極性反転時に、信号ラインＳ及び共通ラインＣの電位が反転することで寄生容量１８の両端の極性が反転し、寄生容量１８に対する充電／放電が起こる。即ち、極性反転される毎に、寄生容量１８の両端の極性が反転して充電／放電が繰り返され、これに起因する電流（充放電電流）が流れる。このことにより、図１２に示すように、理想的には方形波である信号ラインＳ上の表示信号及び共通ラインＣ上の共通電圧ＶCOM1，ＶCOM2の立ち上がり及び立ち下がり波形が劣化する（鈍る）。
【００１５】
液晶表示パネルでは、上述のように、画素電極−対向電極間の電界によって液晶の配列が制御されることで画像表示がなされるが、極性反転時に表示信号及び共通電圧ＶCOMの波形が劣化すると、これによって電極間の電界が変化して表示画像の画質劣化の原因となっていた。
【００１６】
従来の反転駆動では、図９に示したように、各液晶表示パネルの共通電圧ＶCOM1，ＶCOM2は常に一致するように反転制御される。このため、信号ラインＳから見たとき、該信号ラインＳと各共通ラインＣとの間に形成される寄生容量１８Ａ，・・・，１８Ｂ，・・・の全ての両端の極性は同一となる。従って、これら寄生容量１８Ａ，１８Ｂによる影響が重畳され、結果的に、表示信号及び共通電圧ＶCOM1，ＶCOM2の波形劣化の度合が大きくなり、各波形が方形波である場合の画像と比較して画質劣化が避けられなかった。
【００１７】
また、極性反転される毎に、寄生容量１８の充放電による電流（充放電電流）が流れることで電力消費が発生するが、上述した従来の反転駆動方法では、各液晶表示パネルの共通電圧ＶCOM1，ＶCOM2を、互いに同極性で、且つ同一タイミングで極性反転させているため、実質的に、各液晶表示パネルの走査ラインを合計した本数の走査ラインを備える１つの液晶表示パネルを反転駆動する場合と同程度の消費電力となっていた。しかしながら、これは、画像表示に関係のない、無駄な電力消費となっていた。
【００１８】
上記事情に鑑み、本発明は、信号ラインが共通に配線された複数の液晶表示パネルを備える液晶表示装置において、信号ラインと共通ライン（補助容量ライン）との間に形成される寄生容量に起因する画質劣化を抑制するとともに、消費電力の低減化を図ることを目的としている。
【課題を解決するための手段】
【００１９】
上記課題を解決するために、請求項１に記載の発明は、複数の走査ライン及び複数の信号ラインの各交点近傍にマトリクス状に配列され、画素電極及び該画素電極に接続される補助容量電極を有する複数の画素と、該各画素電極の対向位置に配設された対向電極と、前記対向電極に接続されるとともに前記補助容量電極に接続され、前記複数の信号ラインと交差する複数の共通ラインと、を有する複数の液晶表示パネルを備える液晶表示装置において、
前記各液晶表示パネルの複数の信号ラインの少なくとも一部は、該各液晶表示パネル間で相互に共通に配線され、
前記各液晶表示パネルの前記共通ラインに、所定周期で極性反転する対向電極信号を印加する対向電極駆動手段と、
フレーム内で、前記各液晶表示パネルの前記複数の走査ラインを順次選択し、該各液晶表示パネルを順次、表示期間に設定する走査側駆動手段と、
を備え、前記各液晶表示パネルの対向電極に印加される前記各対向電極信号が、少なくとも、同時に、互いに逆極性に極性反転するタイミングを有することを特徴とする。
【００２０】
請求項２に記載の発明は、請求項１に記載の液晶表示装置において、前記各対向電極信号が互いに逆極性に極性反転するタイミングは、常に同時であることを特徴とする。
【００２１】
請求項３に記載の発明は、請求項１に記載の液晶表示装置において、前記各対向電極信号の極性反転の周期が、フレーム内の前記表示期間毎に異なることを特徴とする。
【００２２】
請求項４に記載の発明は、請求項１に記載の液晶表示装置において、フレーム内の前記各表示期間において、前記各対向電極信号のうちの、当該表示期間に設定された前記液晶表示パネルに対する前記対向電極信号の極性反転の周期が一定に設定されることを特徴とする。
【００２３】
請求項５に記載の発明は、請求項４に記載の液晶表示装置において、前記各表示期間において、前記各対向電極信号のうちの当該表示期間に設定されない前記液晶表示パネルに対する対向電極信号の極性反転の周期は、当該表示期間に設定された前記液晶表示パネルに対する対向電極信号の極性反転の周期より長く設定されることを特徴とする。
【００２４】
請求項６に記載の発明は、複数の走査ライン及び複数の信号ラインの各交点近傍にマトリクス状に配列され、画素電極及び該画素電極に接続される補助容量電極を有する複数の画素と、該各画素電極の対向位置に配設された対向電極と、前記対向電極に接続されるとともに前記補助容量電極に接続され、前記複数の信号ラインと交差する複数の共通ラインと、を有する複数の液晶表示パネルを備える液晶表示装置において、
前記各液晶表示パネルの複数の信号ラインの少なくとも一部は、該各液晶表示パネル間で相互に共通に配線され、
前記各液晶表示パネルの前記共通ラインに、所定周期で極性反転する対向電極信号を印加する対向電極駆動手段と、
前記複数の液晶表示パネルにおける一の液晶表示パネルを所定の複数フレーム毎に選択し、他の液晶表示パネルをフレーム毎に選択し、選択した液晶表示パネルを表示期間に設定する走査側駆動手段と、
を備えることを特徴とする。
【００２５】
請求項７に記載の発明は、請求項６に記載の液晶表示装置において、前記各対向電極信号のうちの、前記一の液晶表示パネルに対する対向電極信号の極性反転の周期を前記所定の複数フレーム毎とし、前記他の液晶表示パネルに対する対向電極信号の極性反転の周期をフレーム毎とすることを特徴とする。
【００２６】
請求項８に記載の発明は、複数の走査ライン及び複数の信号ラインの各交点近傍にマトリクス状に配列され、画素電極及び該画素電極に接続される補助容量電極を有する複数の画素と、該各画素電極の対向位置に配設された対向電極と、前記対向電極に接続されるとともに前記補助容量電極に接続され、前記複数の信号ラインと交差する複数の共通ラインと、を有する複数の液晶表示パネルを備え、前記各液晶表示パネルの複数の信号ラインの少なくとも一部は、該各液晶表示パネル間で相互に共通に配線された液晶表示装置を駆動する駆動方法であって、
前記各液晶表示パネルの前記共通ラインに、対向電極信号を、少なくとも、互いに逆極性に同時に極性反転するタイミングを有するように所定周期で極性反転させて印加する動作と、
フレーム内で、前記各液晶表示パネルを順次選択し、該各液晶表示パネルを順次、表示期間に設定する動作と、
を含むことを特徴とする。
【００２７】
請求項９に記載の発明は、請求項８に記載の液晶表示装置の駆動方法において、前記各対向電極信号の互いに逆極性に極性反転するタイミングを常に同時にするように制御する動作を含むことを特徴とする。
【００２８】
請求項１０に記載の発明は、請求項８に記載の液晶表示装置の駆動方法において、前記各対向電極信号の極性反転の周期を、フレーム内の前記表示期間毎に異ならせるように制御する動作を含むことを特徴とする。
【００２９】
請求項１１に記載の発明は、請求項８に記載の液晶表示装置の駆動方法において、フレーム内の前記各表示期間において、前記各対向電極信号のうちの、当該表示期間に設定された前記液晶表示パネルに対する前記対向電極信号の極性反転の周期を一定するとするように制御する動作を含むことを特徴とする。
【００３０】
請求項１２に記載の発明は、複数の走査ライン及び複数の信号ラインの各交点近傍にマトリクス状に配列され、画素電極及び該画素電極に接続される補助容量電極を有する複数の画素と、該各画素電極の対向位置に配設された対向電極と、前記対向電極に接続されるとともに前記補助容量電極に接続され、前記複数の信号ラインと交差する複数の共通ラインと、を有する複数の液晶表示パネルを備え、前記各液晶表示パネルの複数の信号ラインの少なくとも一部は、該各液晶表示パネル間で相互に共通に配線された液晶表示装置を駆動する駆動方法であって、
前記各液晶表示パネルの前記共通ラインに、対向電極信号を、所定周期で極性反転させて印加する動作と、
前記複数の液晶表示パネルにおける一の液晶表示パネルを所定の複数フレーム毎に選択し、他の液晶表示パネルをフレーム毎に選択し、選択した液晶表示パネルを表示期間に設定する動作と、
を含むことを特徴とする。
【００３１】
請求項１３に記載の発明は、請求項１２に記載の液晶表示装置の駆動方法において、前記一の液晶表示パネルに対する前記対向電極信号を前記所定の複数フレーム毎に極性反転させ、前記他の液晶表示パネルに対する対向電極信号をフレーム毎に極性反転させるように制御する動作を含むことを特徴とする。
【発明の効果】
【００３２】
本発明によれば、信号ラインが共通に配線された複数の液晶表示パネルを備える液晶表示装置において、共通に配線された信号ラインと各液晶表示パネルの共通ライン（補助用料ライン）との間に形成される寄生容量による画質の劣化及び消費電力を抑制し、従来の液晶表示装置と比較して、画質の向上及び消費電力の削減を実現することができる。
【発明を実施するための最良の形態】
【００３３】
以下、図面を参照して、本発明に好適な実施形態を説明する。以下では、信号ライン（ソースライン）を共通とする２つの液晶表示パネルを有する液晶表示装置を説明する。尚、以下においては、ソースドライバ回路やゲートドライバ回路を含む１つのドライバ回路を２つの液晶表示パネルで共用するように構成した場合を説明するが、本発明はこれに限定されるものではなく、例えば１つのソースドライバ回路が２つの液晶表示パネルで共用され、液晶表示パネルそれぞれに専用のゲートドライバ回路が設けられる構成等としても良い。また、以下における液晶表示装置の２つの液晶表示パネルは、同じ本数の信号ラインを有するものとするが、本発明はこれに限定されるものではなく、例えば一方の液晶表示パネルの信号ラインの本数が他方の液晶表示パネルの信号ラインの本数より多く、一方の液晶表示パネルの信号ラインが一部が他方の液晶表示パネルに共通に配線されていないものとしても良い。
【００３４】
［液晶表示装置の構成］
先ず、本実施形態における液晶表示装置の構成を説明する。
【００３５】
図１は、本実施形態における液晶表示装置１の概略構成図である。同図に示すように、本実施形態の液晶表示装置１は、２つの表示画面を有するものであり、第１画面としての液晶表示パネル１０Ａと、第２画面としての液晶表示パネル１０Ｂとを備えている。液晶表示パネル１０Ａ，１０Ｂは、例えばフレキシブルプリント基板ＦＰＣを介して電気的に接続されている。また、液晶表示パネル１０Ｂ側に、後述するソースドライバ回路（信号側駆動手段）やゲートドライバ回路（走査側駆動手段）、ＶＣＯＭ回路（対向電極駆動手段）を含むドライバ回路（駆動回路）２０が設けられており、これによって液晶表示パネル１０Ａ，１０Ｂの双方が駆動される。
【００３６】
また、図２は、この液晶表示装置１の全体構成を示すブロック図である。同図によれば、液晶表示装置１は、液晶表示パネル１０Ａ，１０Ｂと、ソースドライバ回路２２と、ゲートドライバ回路２４Ａ，２４Ｂと、ＶＣＯＭ回路２６Ａ，２６Ｂと反転ＲＧＢ発生回路３０と、ＬＣＤコントローラ４０と、を備えて構成される。尚、ソースドライバ回路２２、ゲートドライバ回路２４Ａ，２４Ｂ及びＶＣＯＭ回路２６Ａ，２６Ｂは、図１のドライバ回路２０に含まれるものである。
【００３７】
図３は、各液晶表示パネルの等価回路を示す回路構成図である。図１〜図３に示すように、液晶表示パネル１０Ａには、行方向に、ゲートドライバ回路２４Ａに接続されたｍ１本の走査ライン（ゲートライン）Ｇ1〜Ｇm1が配置（配線）されているとともに、列方向に、ソースドライバ回路２２に接続されたｎ本の信号ライン（ソースライン）Ｓ1〜Ｓnが配置されている。そして、走査ラインＧ1〜Ｇm1と信号ラインＳ1〜Ｓnとの各交点近傍には、アクティブ素子である薄膜トランジスタ１２と、画素電極−対向電極間に液晶が充填されて成る画素容量（液晶容量）１４と、画素容量１４と並列に接続して設けられ、画素容量１４に印加された信号電圧を保持する補助容量１６と、から構成される表示画素が形成されている。即ち、液晶表示パネル１０Ａには、画素数「ｎ×ｍ１」の第１画面が形成されている。
【００３８】
より詳細には、画素容量１４は、画素電極が、薄膜トランジスタ１２を介して走査ラインＧ及び信号ラインＳに接続され、対向電極が、ＶＣＯＭ回路（対向電極駆動手段）２６Ａに接続された共通ラインＣ１に接続され、この共通ラインＣ１を介してＶＣＯＭ回路２６Ａにより生成された共通電圧（対向電極信号）ＶCOM1が印加されている。
【００３９】
そして、走査ラインＧ1〜Ｇm1が順次高電圧とされて選択状態となると、対応する各表示画素の薄膜トランジスタ１２がＯＮになり、該各表示画素に対応する信号ラインＳ1〜Ｓnの電圧が印加されることで１ライン分の表示データが書き込まれ、１つの画像が液晶表示パネル１０Ａに表示される。
【００４０】
また、液晶表示パネル１０Ａに配線されている信号ラインＳ1〜Ｓnは、フレキシブルプリント基板ＥＰＣを介して液晶表示パネル１０Ｂに延長（伸延）されている。
【００４１】
液晶表示パネル１０Ｂには、行方向に、ゲートドライバ回路２４Ｂに接続されたｍ２本の走査ラインＧm1+1〜Ｇm1+m2が配置されているとともに、列方向に、液晶表示パネル１０Ａから延長されたｎ本の信号ラインＳ1〜Ｓnが配置されている。そして、走査ラインＧm1+1〜Ｇm1+m2と信号ラインＳ1〜Ｓnとの各交点近傍には、液晶表示パネル１０Ａと同様に、薄膜トランジスタ１２と、画素容量１４と、補助容量１６と、から構成される表示画素が形成されている。即ち、液晶表示パネル１０Ｂには、画素数「ｎ×ｍ２」の第２画面が形成されている。
【００４２】
また、画素容量１４の対向電極は、ＶＣＯＭ回路（対向電極駆動手段）２６Ｂに接続された共通ラインＣ２に接続され、この共通ラインＣ２を介して、ＶＣＯＭ回路２６Ｂにより生成された共通電圧（対向電極信号）ＶCOM2が印加されている。
【００４３】
そして、走査ラインＧm1+1〜Ｇm1+m2が順次高電圧とされて選択状態となると、対応する各薄膜トランジスタ１２がＯＮになり、該各表示画素に対応する信号ラインＳ1〜Ｓnの電圧が印加されることで１ライン分の表示データが書き込まれ、１つの画像が液晶表示パネル１０Ｂに表示される。
【００４４】
即ち、本実施形態の液晶表示装置１では、１つのソースドライバ回路２２に接続された信号ラインＳ1〜Ｓnが液晶表示パネル１０Ａ，１０Ｂに共通して配線され、該ソースドライバ回路２２によって駆動される。
【００４５】
反転ＲＧＢ発生回路３０は、液晶表示装置１の外部から入力される映像信号から、水平同期信号Ｈ、垂直同期信号Ｖ及びコンポジット同期信号ＣＳＹを抽出してＬＣＤコントローラ４０に出力する。また、映像信号に含まれるＲＧＢの各色信号（ＲＧＢ信号）を抽出し、ＬＣＤコントローラ４０から入力される反転制御信号ＦＲＰに基づいてＲＧＢ信号の極性を周期的に反転させてＲＧＢ反転信号（輝度信号）を生成し、ソースドライバ回路２２に出力する。尚、入力される映像信号がアナログ信号の場合には、反転ＲＧＢ発生回路３０は、先ず、これをデジタル信号に変換する。
【００４６】
ＬＣＤコントローラ４０は、反転ＲＧＢ反転回路３０から入力される水平同期信号Ｈ、垂直同期信号Ｖ及びコンポジット同期信号ＣＳＹに基づいて、映像信号に基づく画像を液晶表示パネル１０Ａ，１０Ｂに表示させるための制御を行う。
【００４７】
具体的には、ＬＣＤコントローラ４０は、信号ラインＳ1〜Ｓnに印加する表示信号の極性反転を制御する反転制御信号ＦＲＰを生成して反転ＲＧＢ発生回路３０に出力する。また、液晶表示パネル１０Ａの共通ラインＣ１に印加する共通電圧ＶCOM1の極性反転を制御する反転制御信号ＦＲＰ１を生成してＶＣＯＭ回路２６Ａに出力するとともに、液晶表示パネル１０Ｂの共通ラインＣ２に印加する共通電圧ＶCOM2の極性反転を制御する反転制御信号ＦＲＰ２を生成してＶＣＯＭ回路２６Ｂに出力する。
【００４８】
更に、ＬＣＤコントローラ４０は、信号ラインＳ1〜Ｓnへの表示信号の印加タイミングを制御する水平制御信号ＨＣを生成してソースドライバ回路２２に出力する。また、走査ラインＧ1〜Ｇm1への走査信号（ゲートパルス）の印加タイミングを制御する垂直制御信号ＶＣ１を生成してゲートドライバ回路２４Ａに出力するとともに、走査ラインＧm1+1〜Ｇm1+m2への走査信号（ゲートパルス）の印加タイミングを制御する垂直制御信号ＶＣ２を生成してゲートドライバ回路２４Ｂに出力する。
【００４９】
ソースドライバ回路２２は、ＬＣＤコントローラ４０から入力される水平制御信号ＨＣに基づいて、反転ＲＧＢ発生回路３０から入力される反転ＲＧＢ信号（輝度信号）を順次サンプリングし、対応する表示信号電圧を、水平走査期間毎に、信号ラインＳ1〜Ｓnに一斉に印加する。
【００５０】
ゲートドライバ回路２４Ａは、ＬＣＤコントローラ４０から入力される垂直制御信号ＶＣ１に基づいて、液晶表示パネル１０Ａの走査ラインＧ1〜Ｇm1に走査信号（ゲートパルス）を順次印加する。また、ゲートドライバ回路２４Ｂは、ＬＣＤコントローラ４０から入力される垂直制御信号ＶＣ２に基づいて、液晶表示パネル１０Ｂの走査ラインＧm1+1〜Ｇm1+m2に走査信号（ゲートパルス）を順次印加する。
【００５１】
ＶＣＯＭ回路２６Ａは、ＬＣＤコントローラ４０から入力される反転制御信号ＦＲＰ１に基づいて極性を反転させた共通電圧ＶCOM1を生成し、液晶表示パネル１０Ａの共通ラインＣ１に印加する。また、ＶＣＯＭ回路２６Ｂは、ＬＣＤコントローラ４０から入力される反転制御信号ＦＲＰ２に基づいて極性を反転させた共通電圧ＶCOM2を生成し、液晶表示パネル１０Ｂの共通ラインＣ２に印加する。
【００５２】
このように構成される液晶表示装置１を反転駆動する場合、従来では、図９に示したような駆動波形によって駆動していた。即ち、ライン反転駆動する場合には、同図（ａ）に示したような駆動波形によって駆動制御し、フレーム反転駆動する場合には、同図（ｂ）に示した駆動波形によって駆動制御していた。以下、図９の駆動波形による反転駆動を「従来の反転駆動」と称する。
【００５３】
そして、従来の反転駆動では、上述のように、信号ラインＳと共通ラインＣ１，Ｃ２との間に形成される寄生容量１８Ａ，・・・，１８Ｂ，・・・により、信号ラインＳ上の表示信号及び共通ラインＣ１、２上の共通電圧ＶCOM1，ＶCOM2の波形が劣化し、これに起因して、液晶表示パネル１０Ａ，１０Ｂの表示画像の画質劣化及び消費電力の無駄が生じていた。
【００５４】
本実施形態は、反転駆動の制御方法を工夫することで、寄生容量１８Ａ，１８Ｂによる表示信号及び共通電圧ＶCOM1，ＶCOM2の波形劣化を抑制し、従来と比較して画質向上及び消費電力の削減を図るものである。
以下、本実施形態の具体的な４つの駆動方法を、順に説明する。
【００５５】
＜第１実施形態＞
先ず、第１実施形態を説明する。
第１実施形態では、液晶表示パネル１０Ａ，１０Ｂをライン反転駆動する。
【００５６】
図４は、第１実施形態での液晶表示装置１の反転駆動制御を説明するための図であり、１フレーム期間での駆動波形を示している。同図では、横軸を時間軸として、上から順に、走査ラインＧの走査タイミング（ゲートスキャン）、信号ラインＳに印加される表示信号（ソース出力）、共通電圧ＶCOM1，ＶCOM2、を示している。但し、「ｍ１」及び「ｍ２」がともに２以上の偶数である場合の例を示している。
【００５７】
同図に示すように、第１実施形態では、表示信号及び共通電圧ＶCOM1，ＶCOM2の極性が、走査ラインＧ毎に反転されるとともに、フレーム期間毎にも反転されるが、このとき、共通電圧ＶCOM1，ＶCOM2は、常に、極性が互いに逆位相になるように設定される。即ち、共通電圧ＶCOM1，ＶCOM2は同時に極性反転し、且つ互いに逆極性に反転する。
【００５８】
また、液晶を駆動するためには、表示対象（走査対象）としている液晶表示パネルの共通電圧ＶCOMと表示信号との極性が逆でなくてはならない。このため、表示信号は、第１画面表示期間では、共通電圧ＶCOM1と極性が逆位相になり、第２画面表示期間では、共通電圧ＶCOM2と極性が逆位相となるように設定される。
【００５９】
尚、これらの表示信号及び共通電圧ＶCOM1，ＶCOM2の極性反転は、ＬＣＤコントローラ４０によって制御されるものであり、具体的には、ＬＣＤコントローラ４０によって生成される反転制御信号ＦＲＰ，ＦＲＰ１，ＦＲＰ２を適宜設定制御して、反転ＲＧＢ発生回路３０及びＶＣＯＭ回路２６Ａ，２６Ｂの動作を制御することで実現される。
【００６０】
即ち、ＬＣＤコントローラ４０は、ＶＣＯＭ回路２６Ａ，２６Ｂそれぞれに対して、共通電圧ＶCOM1，ＶCOM2を互いに逆位相で極性反転させるように反転制御信号ＦＲＰ１、ＦＲＰ２を生成して出力する。また、反転ＲＧＢ発生回路３０に対しては、表示信号が、第１画面表示期間においては共通電圧ＶCOM1の極性と逆になり、第２画面表示期間においては共通電圧VCOM2の極性と逆になるように、反転制御信号ＦＲＰを設定して出力する。
【００６１】
このように、第１実施形態では、共通電圧ＶCOM1，ＶCOM2を、極性が互いに逆となるように極性反転することで、信号ラインＳ側から見たときの、共通ラインＣ１との間に形成される寄生容量１８Ａと、共通ラインＣ２との間に形成される寄生容量１８Ｂとの極性が常に逆になる。このため、寄生容量１８Ａが表示信号及び共通電圧ＶCOM1，ＶCOM2の波形に与える影響と、寄生容量１８Ｂが表示信号及び共通電圧ＶCOM1，ＶCOM2の波形に与える影響とが相殺されることで、表示信号及び共通電圧ＶCOM1，ＶCOM2の波形劣化が抑制され、結果的に、従来の駆動方法と比較して、液晶表示パネル１０Ａ，１０Ｂの表示画像の画質が向上する。
【００６２】
また、信号ラインＳから見たときの寄生容量１８Ａ，１８Ｂの極性が互いに逆になることで、極性反転の際に流れる寄生容量１８Ａ，１８Ｂの充放電による電流（充放電電流）が互いに逆方向となり、寄生容量１８Ａ，１８Ｂの充放電にかかる消費電力が減少して液晶表示装置１の消費電力が削減される。
【００６３】
尚、図４では、「ｍ１」及び「ｍ２」がともに２以上の偶数の場合を示しているが、奇数の場合にも基本的に同様であって、走査ライン毎及びフレーム期間毎に極性反転するように各波形の極性が設定される。具体的には、例えば「ｍ１」が奇数である場合には、同図において、走査ラインＧm1〜Ｇm1+m2に対応する各波形の極性が逆になり、「ｍ２」が奇数である場合には、１フレーム期間の最後の走査ラインＧm1+m2に対応する各信号波形の極性が逆になる。
【００６４】
＜第２実施形態＞
次に、第２実施形態を説明する。
第２実施形態では、液晶表示パネル１０Ａ，１０Ｂをライン反転駆動するが、極性反転の周期を表示対象となっている液晶表示パネルに応じて変更する。
【００６５】
図５は、第２実施形態での液晶表示装置１の反転駆動制御を説明するための図であり、１フレーム期間での駆動波形を示している。同図では、横軸を時間軸として、上から順に、走査ラインの走査タイミング（ゲートスキャン）、信号ラインＳに印加される表示信号、共通電圧ＶCOM1，ＶCOM2、を示している。但し、「ｍ１」及び「ｍ２」がともに２以上の偶数である場合の例を示している。
【００６６】
同図に示すように、第２実施形態では、共通電圧ＶCOM1，ＶCOM2は、第１実施形態と同様に、常に極性が互いに逆になるように極性反転されるとともに、その極性反転周期が、表示対象とする液晶表示パネルに応じて異なるように制御される。具体的には、同図では、共通電圧ＶCOM1，ＶCOM2は、第１画面表示期間では１走査ライン毎に極性反転され、第２画面表示期間では２走査ライン毎に反転駆動されている。即ち、第２画面表示期間における極性反転周期が、第１画面表示期間における極性反転周期の２倍となっている。
【００６７】
そして、表示信号は、表示対象となっている液晶表示パネルの共通電圧と極性が逆になるように極性反転される。即ち、表示信号は、第１画面表示期間では、共通電圧ＶCOM1と極性が逆になるように極性反転され、第２画面表示期間では、共通電圧ＶCOM2と極性が逆になるように極性反転される。従って、第２画面表示期間における表示信号の極性反転周期も、第１画面表示期間における極性反転周期の２倍となっている。
【００６８】
従って、第２実施形態では、ＬＣＤコントローラ４０は、ＶＣＯＭ回路２６Ａ，２６Ｂそれぞれに対して、共通電圧ＶCOM1，ＶCOM2を、互いに逆極性となり、且つ、第１画面表示期間では１走査ライン毎に極性反転させ、第２画面表示期間では２走査ライン毎に極性反転させるように、反転制御信号ＦＲＰ１，ＦＲＰ２を設定して出力する。また、反転ＲＧＢ発生回路３０に対しては、表示信号が、第１画面表示期間においては共通電圧ＶCOM1と極性が逆になり、第２画面表示期間においては共通電圧ＶCOM2と極性が逆になるように、反転制御信号ＦＲＰを設定して出力する。
【００６９】
このように、第２実施形態によれば、上述した第１実施形態と同様に、共通電圧ＶCOM1，ＶCOM2の極性が互いに逆になっているので、寄生容量１８Ａ，１８Ｂによる表示信号及び共通電圧ＶCOM1，ＶCOM2の波形劣化が抑制され、表示画像の画質の向上、及び、消費電力の削減が実現される。
【００７０】
更に、従来の反転駆動と比較して、１フレーム期間の第２画面表示期間での共通電圧ＶCOM1，ＶCOM2の極性反転の回数が少なくなっているため、液晶表示パネル１０Ａ，１０Ｂの駆動にかかる消費電力の低減が実現される。但し、一般的に、極性反転周期を長くすると、その分、表示画像の画質が低下する。このため、第２実施形態は、例えばメインディスプレイ及びサブディスプレイを備える携帯電話機において、メインディスプレイを第１画面、サブディスプレイを第２画面とし、サブディスプレイには時刻等の簡単な情報のみを表示して高い画質を要求しない場合のように、第２画面の表示画像に高い画質が要求されない場合に好適に適用される。
【００７１】
尚、図５では、第２画面表示期間における共通電圧ＶCOM1，ＶCOM2の極性反転周期を第１画面表示期間における極性反転周期の２倍としたが、これに限らず、第２画面表示期間において３以上の走査ライン毎に極性反転を行い、極性反転周期を３倍以上にしても良い。この場合、極性反転周期を長くする程、液晶表示パネル１０Ｂの表示画像の画質は劣化するが、消費電力を更に削減することができる。
【００７２】
また、第１画面表示期間における共通電圧ＶCOM1，ＶCOM2の極性反転周期を、第２画面表示期間における極性反転周期よりも大きくしても良い。即ち、用途により第１画面の液晶表示パネル１０Ａの画質を低下させても構わない場合には、例えば、第１画面表示期間において複数の走査ライン毎に極性反転を行い、第１画面表示期間における極性反転周期を第２画面表示期間における極性反転周期よりも長くすることとしても良い。更に、一方の表示期間だけではなく、第１画面表示期間及び第２画面表示期間の双方において、同数或いは異なる複数の走査ライン毎に極性反転を行うこととしても良い。
【００７３】
また、図５では、「ｍ１」及び「ｍ２」がともに偶数である場合を示しているが、奇数である場合にも基本的に同様であって、走査ライン毎及びフレーム期間毎に極性反転するように各波形の極性が設定される。具体的には、例えば「ｍ１」が奇数である場合には、同図において、走査ラインＧm1〜Ｇm1+m2に相当する各波形の極性が逆になり、「ｍ２」が奇数の場合には、１フレーム期間の最後の走査ラインＧm1+m2に対応する各信号が、１走査ラインで極性反転することになる。
【００７４】
＜第３実施形態＞
次に、第３実施形態を説明する。
第３実施形態では、液晶表示パネル１０Ａ，１０Ｂをライン反転駆動するが、表示対象となっていない液晶表示パネルの極性反転の周期を、表示対象となっている液晶表示パネルの極性反転の周期よりも長くする。
【００７５】
図６は、第３実施形態での液晶表示装置１の反転駆動制御を説明するための図であり、１フレーム期間での駆動波形を示している。同図では、横軸を時間軸として、上から順に、走査ラインＧの走査タイミング（ゲートスキャン）、信号ラインＳに印加される表示信号（ソース出力）、共通電圧ＶCOM1，ＶCOM2、を示している。但し、「ｍ１」及び「ｍ２」がともに偶数である場合の例を示している。
【００７６】
同図に示すように、第３実施形態では、第１画面表示期間及び第２画面表示期間の各表示期間において、表示対象となっていない液晶表示パネルの共通電圧の極性反転が、２以上の複数の走査ライン毎に行われる。具体的には、同図では、第１画面表示期間では、表示対象となっている第１画面の液晶表示パネル１０Ａの共通電圧ＶCOM1の極性は１走査ライン毎に反転され、表示対象となっていない第２画面の液晶表示パネル１０Ｂの共通電圧ＶCOM2の極性は２走査ライン毎に反転されている。即ち、共通電圧ＶCOM2の極性反転周期が、共通電圧ＶCOM1の極性反転周期の２倍となっている。
【００７７】
一方、第２画面表示期間では、表示対象となっている第２画面の液晶表示パネル１０Ｂの共通電圧ＶCOM2の極性は１走査ライン毎に反転され、表示対象となっていない第２画面の液晶表示パネル１０Ａの共通電圧ＶCOM1の極性は２走査ライン毎に反転されている。即ち、共通電圧ＶCOM1の極性反転周期が、共通電圧ＶCOM2の極性反転周期の２倍となっている。
【００７８】
また、表示信号は、現在表示対象となっている液晶表示パネルの共通電圧と極性が逆になるように反転される。即ち、表示信号は、第１画面表示期間では、共通電圧ＶCOM1と極性が逆になるように反転され、第２画面表示期間では、共通電圧ＶCOM2と極性が逆になるように反転される。従って、表示信号は、１走査ライン毎に極性反転される。
【００７９】
即ち、第３実施形態では、ＬＣＤコントローラ４０は、ＶＣＯＭ回路２６Ａに対して、共通電圧ＶCOM1を、第１画面表示期間では１走査ライン毎に反転させ、第２画面表示期間では２走査ライン毎に反転させるように反転制御信号ＦＲＰ１を設定して出力する。また、ＶＣＯＭ回路２６Ｂに対しては、共通電圧ＶCOM2を、第１画面表示期間では２走査ライン毎に反転させ、第２画面表示期間では１操作ライン毎に反転させるように反転制御信号ＦＲＰ２を生成して出力する。そして、反転ＲＧＢ発生回路３０に対しては、表示信号が、第１画面表示期間では共通電圧ＶCOM1と極性が逆になり、第２画面表示期間では共通電圧ＶCOM2と極性が逆になるように、反転制御信号ＦＲＰを設定して出力する。
【００８０】
このように、第３実施形態によれば、各表示期間において、共通電圧ＶCOM1，ＶCOM2のそれぞれの極性反転周期が異なるため、共通電圧ＶCOM1，ＶCOM2の極性が互いに逆となる期間が生じる。この期間においては、寄生容量１８Ａ，１８Ｂによる表示信号及び共通電圧ＶCOM1，ＶCOM2の波形劣化が抑制されるため、従来の反転駆動と比較して、表示画像の画質の向上、及び、消費電力の削減が実願される。
【００８１】
また、現在表示対象としていない液晶表示パネルの共通電圧ＶCOMを２走査ライン毎に極性反転しているので、従来の反転駆動と比較して、１フレーム期間での共通電圧ＶCOM1，ＶCOM2の極性反転の回数が少なくなり、これによって、液晶表示パネル１０Ａ，１０Ｂの駆動にかかる消費電力の低減が実現される。
【００８２】
尚、図６では、「ｍ１」及び「ｍ２」がともに偶数である場合を示したが、奇数である場合にも基本的に同様であって、操作ライン毎及びフレーム期間毎に極性反転するように各波形の極性が設定される。具体的には、例えば「ｍ１」が奇数である場合には、走査ラインＧm1〜Ｇm1+m2に相当する各波形の極性が逆になり、「ｍ２」が奇数である場合には、１フレーム期間の最後の信号ラインＧm1+m2に相当する各信号の極性が逆になる。
【００８３】
＜第４実施形態＞
次に、第４実施形態を説明する。
第４実施形態では、上述した第１〜第３実施形態の場合と異なり、液晶表示パネル１０Ａ，１０Ｂをライン反転駆動せず、フレーム反転駆動のみを行う。
【００８４】
図７は、第４実施形態での液晶表示装置１の反転駆動制御を説明するための図である。同図では、横軸を時間軸として、上から順に、走査ラインＧの走査タイミング（ゲートスキャン）、信号ラインＳに印加される表示信号、共通電圧ＶCOM1，ＶCOM2、を示している。
【００８５】
同図によれば、１フレーム期間は、液晶表示パネル１０Ａを表示対象とする第１画面表示期間と、液晶表示パネル１０Ｂを表示対象とする第２画面表示期間とから構成される。そして、第４実施形態では、第１画面の液晶表示パネル１０Ａは、１フレーム期間毎に共通電圧ＶCOM1が反転され、走査ラインＧ1〜Ｇm1が順に走査されて画像が表示されるが、第２画面の液晶表示パネル１０Ｂは、Ｎフレーム期間毎に共通電圧ＶCOM2が反転され、走査ラインＧm1+1〜Ｇm1+m2が走査されて画像の表示が行われる。但し、「Ｎ」は奇数であるとする。
【００８６】
具体的には、第１フレーム期間では、第１画面表示期間において走査ラインＧ1〜Ｇm1が順に走査されて液晶表示パネル１０Ａの画像表示が行われ、第２画面表示期間において走査ラインＧm1+1〜Ｇm1+m2が順に走査されて液晶表示パネル１０Ｂの画像表示が行われる。即ち、液晶表示パネル１０Ａ，１０Ｂの双方で画像が再表示される。
【００８７】
また、第２フレーム期間から第Ｎフレーム期間では、第１画面表示期間において走査ラインＧ1〜Ｇm1が走査され、液晶表示パネル１０Ａの画像の再表示が行われる。第２画面表示期間においては、走査ラインＧm1+1〜Ｇm1+m2が走査されない、即ち液晶表示パネル１０Ｂの画像の再表示が行われず、第１フレーム期間での表示画像が継続して表示される。
【００８８】
そして、第（Ｎ＋１）フレーム期間では、第１フレーム期間と同様に、第１画面表示期間において走査ラインＧ1〜Ｇm1が順に走査され、第２画面表示期間において走査ラインＧm1+1〜Ｇm1+m2が順に走査されて、液晶表示パネル１０Ａ，１０Ｂの双方で画像の再表示が行われる。
【００８９】
つまり、液晶表示パネル１０Ａでは、１フレーム期間毎に画像の再表示が行われるが、液晶表示パネル１０Ｂでは、Ｎフレーム期間毎に画像の再表示が行われる、即ち走査ラインＧの走査（ゲートスキャン）が間引かれている。
【００９０】
そして、液晶表示パネル１０Ａの対向電極に印加される共通電圧ＶCOM1は１フレーム期間毎に極性反転され、液晶表示パネル１０Ｂの対向電極に印加される共通電圧ＶCOM2はＮフレーム毎に極性反転される。このとき、共通電圧ＶCOM2は、液晶表示パネル１０Ｂの走査ラインＧm1+1〜Ｇm1+m2の走査が行われたフレーム期間、即ち画像表示が行われたフレーム期間（第１フレーム期間、第（Ｎ＋１）フレーム期間、・・・）の終了時に極性反転され、走査されないフレーム期間、即ち画像表示が行われないフレーム期間の終了時には極性反転されない。
【００９１】
尚、共通電圧ＶCOM2は、液晶表示パネル１０Ｂの走査ラインＧm1+1〜Ｇm1+m2の走査が行われたフレーム期間と、その次に走査ラインＧm1+1〜Ｇm1+m2の走査が行われるフレーム期間とで、この２つのフレーム期間の間であれば、極性反転をいつ行っても良い。
【００９２】
このように、第４実施形態によれば、従来のフレーム反転と比較して、第２画面の液晶表示パネル１０Ｂに対する共通電圧ＶCOM2の極性反転の回数が少なくなっているため、液晶表示装置１全体として、表示パネル１０Ａ，１０Ｂの駆動にかかる消費電力が削減される。但し、走査ラインの走査（ゲートスキャン）を間引くことで、単位時間当たりの描画フレーム数が減少するため、例えば動画表示した場合には「コマ送り」のようなぎくしゃくした画像となる欠点があるが、文字表示や静止画表示の場合等には殆ど問題とならない。このため、第４実施形態は、第２画面の液晶表示パネル１０Ｂに、例えば文字表示等の情報量が少ない静止画を表示する場合に好適に適用することができる。
【００９３】
尚、図７では、第２画面の液晶表示パネル１０Ｂの走査ラインＳの走査を間引くこととしたが、これに限らず、第１画面の表示パネル１０Ａの走査ラインＳの走査を間引くこととしても良く、液晶表示パネル１０Ａ，１０Ｂの表示画像に応じて、適当に決定することができる。
【００９４】
また、ここでは、「Ｎ」が奇数であるとしたので、表示信号を１フレーム期間毎に極性反転させた場合、第１フレーム期間と第（Ｎ＋１）フレーム期間とで表示信号の極性が逆になり、第２画面の液晶表示パネル１０Ｂの走査ラインを走査する各フレーム期間（第１フレーム期間、第（Ｎ＋１）フレーム期間、・・・）において、共通電圧ＶCOM2と表示信号とが逆極性となった。しかし、「Ｎ」が偶数である場合には、表示信号を１フレーム期間毎に極性反転させると、第１フレーム期間と第（Ｎ＋１）フレーム期間とで表示信号の極性が同じになる。このため、「Ｎ」が偶数である場合には、表示信号を、例えば第Ｎフレーム期間の終了時に極性反転させない等して、第１フレーム期間と第（Ｎ＋１）フレーム期間とで極性が逆になるように極性反転すれば良い。
【００９５】
［変形例］
尚、本発明の適用は、上述した実施形態に限定されるものではなく、本発明の趣旨を逸脱しない範囲で適宜変更可能である。
【００９６】
例えば上述した実施形態では、２つの液晶表示パネル１０Ａ，１０Ｂを有する液晶表示装置１を説明したが、３以上の液晶表示パネルを有することとしても良い。その場合には、各液晶表示パネルを次のように反転駆動する。
【００９７】
即ち、第１実施形態では、各液晶表示パネルの共通電圧ＶCOM1，ＶCOM2，ＶCOM3，・・・の内、少なくとも１つの共通電圧ＶCOMを、他の共通電圧ＶCOMと互いに極性が逆になるように極性反転させる。そして、表示信号は、表示対象となっている液晶表示パネルの共通電圧ＶCOMと極性が逆になるように反転させる。
【００９８】
また、第２実施形態では、複数の液晶表示パネルの内、高い画質が要求されない液晶表示パネルを表示対象としている表示期間において、各共通電圧ＶCOMを複数の走査ライン毎に極性反転させる。
【００９９】
また、第３実施形態では、各液晶表示パネルを表示対象とする表示期間において、現在表示対象としている液晶表示パネルの共通電圧ＶCOMについては１走査ライン毎に極性反転させ、それ以外の表示対象としていない液晶表示パネルの共通電圧ＶCOMについては複数走査ライン毎に極性反転させる。
【０１００】
また、第４実施形態では、複数の液晶表示パネルの内、例えば文字等表示等の静止画の表示を行う液晶表示パネルについて、走査ラインの走査を複数のフレーム期間毎に行うととともに、共通電圧ＶCOMを該複数のフレーム期間毎に極性反転させる。そして、その他の液晶表示パネルについては、１フレーム期間毎に走査ラインの走査及び共通電圧ＶCOMの極性反転を行う。
【図面の簡単な説明】
【０１０１】
【図１】液晶表示装置の概略構成図。
【図２】液晶表示装置の全体構成図。
【図３】各液晶表示パネルの回路構成図。
【図４】第１実施形態での各液晶表示パネルの駆動波形図。
【図５】第２実施形態での各液晶表示パネルの駆動波形図。
【図６】第３実施形態での各液晶表示パネルの駆動波形図。
【図７】第４実施形態での各液晶表示パネルの駆動波形図。
【図８】表示画素の構成図。
【図９】従来の液晶表示パネルの駆動波形図。
【図１０】信号ラインと共通ラインとの間に形成される寄生容量の説明図。
【図１１】寄生容量の影響を受けた表示信号及び共通電圧ＶCOMの波形図。
【図１２】極性反転時の表示信号及び共通電圧の波形劣化の説明図。
【符号の説明】
【０１０２】
１  液晶表示装置
１０Ａ，１０Ｂ  液晶表示パネル
１２  薄膜トランジスタ（ＴＦＴ）
１４  画素容量（液晶容量）
１４ａ  画素電極
１４ｂ  対向電極
１６  補助容量
１８  寄生容量
Ｓ（Ｓ１〜Ｓｎ）  信号ライン（ソースライン）
Ｇ（Ｇ１〜Ｇm1+m2）  走査ライン（ゲートライン）
Ｃ（Ｃ１，Ｃ２）  共通ライン
２０  ドライバ回路（駆動回路）
２２  ソースドライバ回路
２４Ａ，２４Ｂ  ゲートドライバ回路
２６Ａ，２６Ｂ  ＶＣＯＭ回路
３０  反転ＲＧＢ発生回路
４０  ＬＣＤコントローラ
【図１】
2006072211.tif 000003
【図２】
2006072211.tif 000004
【図３】
2006072211.tif 000005
【図４】
2006072211.tif 000006
【図５】
2006072211.tif 000007
【図６】
2006072211.tif 000008
【図７】
2006072211.tif 000009
【図８】
2006072211.tif 000010
【図９】
2006072211.tif 000011
【図１０】
2006072211.tif 000012
【図１１】
2006072211.tif 000013
【図１２】
2006072211.tif 000014